(57)【特許請求の範囲】
【請求項１】
定着ニップを形成する内部圧力部材と外部圧力部材とを有するベルトロール定着器と、前記定着ニップにおいて前記内部圧力部材に接触する内側部と、前記外部圧力部材に面する外側部と、を有する定着ベルトと、を含む、ベルトロール定着器システムであって、
前記定着ニップの出口において前記定着ベルトの内側部に接触する接触部を有するシムと、
前記シムを支持する支持部材と、
前記定着ニップの出口に設置された剥離シューと、をさらに含み、
前記シムは第１の端部および第２の端部を有し、前記支持部材は前記剥離シューと前記シムの第１および第２の端部のうちの１つとの間の楔状すき間に配置された、ゴムおよび発泡体の少なくとも１つ、または、圧縮空気もしくは液体入り袋で構成されている、ベルトロール定着器システム。
【請求項２】
前記シムの前記第１の端部を前記剥離シューに取り付ける、請求項１に記載のシステム。
【請求項３】
前記第２の端部が剥離縁端部を形成し、前記剥離縁端部は、前記定着ニップの出口において前記定着ベルトの前記内側部に接触する接触部である、請求項２に記載のシステム。
【請求項４】
前記剥離縁端部が、定着時に水蒸気圧力限界より高いニップ圧プロファイルを保持するように前記定着ベルトの前記内側部に接触する、請求項３に記載のシステム。
【請求項５】
前記シムが、前記支持部材を少なくとも実質的に取り囲むように延びている、請求項２に記載のシステム。
【請求項６】
前記シムが前記支持部材を実質的に取り囲むように延びており、前記第２の端部を前記剥離シューに取り付ける、請求項２に記載のシステム。
【発明の詳細な説明】
【技術分野】
【０００１】
本開示は、剥離シューを有する剥離システムを含むベルトロール定着器装置およびシステムに関する。詳細には、本開示は、剥離シューと、定着ニップにおいて効果的なニップ圧プロファイルを保持する丈夫で柔軟な先端部とを有する剥離システムに関する。
【背景技術】
【０００２】
従来技術のベルトロール定着器剥離システムは、効果的な定着ニップ圧を提供するように定着ベルトの内側に負荷をかけるために使用される剥離シューを含んでいてもよい。特に定着時に、水蒸気圧力限界および／または気泡圧力限界よりもニップ圧を高くしてもよい。例えば、ニップを通り抜けるベルトの内側に負荷をかけるために、シムとシューとの組み合わせを使用してもよい。この組み合わせは、外部圧力ロールと、定着ベルトを引っ張る内部圧力ロールとにより形成される定着ニップの出口に配置されている。
【発明の概要】
【発明が解決しようとする課題】
【０００３】
ベルトロール定着器システム内の従来技術の剥離システムは、頻繁に保守を行う必要がある可能性がある。従来技術の剥離システム内のシム、またはシムのようなリーフスプリングは、１０００００回の印刷のたびに交換する必要がある可能性があることが分かっている。シムは、ベルトと、ベルトロール定着器の内部圧力ロールの間の地点で詰まりやすい。これは、時間の経過にともなうシムの変形および／または弱化の結果である可能性がある。定着ベルトを含むベルトロール定着器の他の構成要素が、変形したおよび／または弱くなったシムの一部分により損傷を受ける可能性がある。
【課題を解決するための手段】
【０００４】
実施形態による装置およびシステムでは、定着ベルト損傷の事例が減る可能性があり、剥離システムおよび定着システム構成要素の耐用年数が延びる可能性がある。例えば、ベルトロール定着器剥離装置は、剥離シューを含むように構成してもよい。剥離シューにシムを取り付けてもよい。例えば、シューに取り付けてもよい支持部材に、シムを取り付けてもよい。実施形態では、シムの第１の端部においてシムをシューに取り付けてもよく、定着システムの定着ニップの出口において定着ベルトと圧力ロールとの間に入る剥離縁端部を形成する第２の端部までシムが延びていてもよい。
【０００５】
実施形態では、シムは柔軟であってもよく、支持部材により支持されてもよい。支持部材は、ゴム、発泡体、または支持するのに適した他の材料で形成してもよい。支持部材は、シムと、そのシムを取り付ける剥離シューとで形成されるすき間への注入により、剥離システムの製造時に形成してもよい。あるいは、支持部材は別々に形成して、シムを支持するように後で取り付けて設置してもよく、シムにより提供される好適なニップ圧プロファイルを保持するようになっていてもよい。
【０００６】
他の実施形態では、支持部材を取り囲むようにシムを形成して、シムが支持部材と、定着ニップを形成する圧力部材との間に入るようになっていてもよい。例えば、シムは、第１の端部と、第２の端部とを含むように形成してもよい。剥離シューに第１の端部を取り付けてもよい。他の実施形態では、シムは、支持部材を取り囲むように第１の端部から延びていてもよい。シムの第２の端部においてシムを剥離シューに取り付けてもよい。第１の端部と第２の端部の間に位置するシムの一部分は、定着ベルトと、ベルトロール定着器のニップ形成部材との間に入っていてもよく、第１および第２の端部のうちの少なくとも１つでシムを取り付ける剥離シューを介して定着ベルトの内側へ負荷を伝達するように構成されてもよい。
【０００７】
ベルトロール定着器システムの実施形態は、剥離システムを含んでいてもよい。剥離システムは、剥離シューと、剥離シムと、を含んでいてもよい。剥離シムは、第１の端部において剥離シューに取り付けてもよく、支持部材により支持してもよい。剥離シムの第２の端部は、定着ロールが形成する定着ニップの出口において、定着ベルトの内側と、定着ベルトを引っ張る定着ロールとの間に入るように延びていてもよい。あるいは、剥離シムの第１の端部において剥離シムを剥離シューに取り付けてもよい。剥離シムは、支持部材を取り囲むように第１の端部から延びていてもよく、剥離シムの第２の端部において剥離シューに取り付けてもよい。
【図面の簡単な説明】
【０００８】
【図１】従来技術の剥離システムを有するベルトロール定着器の図式的側面図である。
【図２】例示的実施形態による剥離システムを有するベルトロール定着器の図式的側面図である。
【図３】他の例示的実施形態による剥離システムを有するベルトロール定着器の図式的側面図である。
【図４】従来技術の剥離システムにより提供されるベルトロール定着ニップ圧プロファイルを示すグラフである。
【０００９】
シムを備えた剥離シューを有する剥離システムを含むベルトロール定着器装置およびシステムの理解を提供するための図面を参照する。図面では、類似の参照番号は、全体を通じて類似のまたは同じ要素を示すために使用されている。図面は、剥離システムを有する説明に役立つ装置およびシステムの実施形態に関連するさまざまな実施形態およびデータを示している。
【発明を実施するための形態】
【００１０】
実施形態の装置およびシステムは、ベルトロール定着器を用いて基板にマーキング材料を定着させることにより媒体上に画像を印刷するためのシステムを含んでいてもよい。ベルトロール定着器は、定着ニップを一緒になって形成する２つの回転部材を含んでいてもよい。例えば、ベルトロール定着器は、第１の部材、例えば、内部圧力部材などと、第２の部材、例えば、外部圧力部材などと、を含んでいてもよい。内部圧力部材と外部圧力部材とは、定着ニップを形成するように構成してもよい。内部圧力部材は、ニップを通り抜ける定着ベルトを引っ張ってもよい。
【００１１】
その上に蒸着されたマーキング材料を有する基板などの媒体は、定着ニップの中を通って供給してもよい。定着システムは、ニップにおいて、例えば、圧力および熱などを加えて、マーキング材料を基板に定着させるように構成してもよい。内部圧力部材を含む、ベルトロール定着器の１つ以上の回転部材により引っ張られる定着ベルトは、定着時にニップにおいて基板に接触してもよい。
【００１２】
ベルトロール定着器システム内に含まれていてもよい剥離システムの実施形態は、例えば、剥離シューに関連するシムなどを含む剥離システム構成要素の性能を向上させるように構成された支持部材を含んでいる。例えば、剥離システムは、定着ニップ出口付近に設置された剥離シューと、シムと、を含んでいてもよい。１つ以上の地点においてシムを剥離シューに取り付けてもよい。
【００１３】
シムは、第１の端部と、第２の端部とを有していてもよい。実施形態では、剥離シューにシムの第１の端部を取り付けてもよい。シムは、第１の端部から定着ニップ出口に向かってシムの第２の端部まで延びていてもよい。剥離シューと、支持部材で支持されたシムとは、定着ベルトの内側、すなわち、内部圧力部材に面する定着ベルトの面、に負荷をかけるように構成されてもよい。剥離縁端部は、シムの第２の端部において定着ベルトの内側に接触するように形成されてもよい。
【００１４】
シムは、現在知られている、または後から開発される任意の好適な材料で形成してもよい。例えば、シムは、ステンレス鋼またはバネ鋼を含む材料で形成してもよい。シムは変形可能であってもよく、例えば、シムの第２の端部などに位置する剥離縁端部が変形してもよく、またはその剥離縁端部が、例えば、定着ニップを通り抜ける媒体搬送ベルトの内側などに当てられるときに、シムの一部分の変形を引き起こしてもよい。さらに、時間の経過とともにシムが弱くなって、形が崩れる可能性がある。したがって、実施形態では、シムを支持部材で支持してもよい。支持部材は、シムと、剥離シューとの間に入るように構成してもよい。
【００１５】
支持部材は、シムを支持するのに適した任意の材料で形成してもよい。例えば、支持部材は、ゴムおよび／または発泡体で形成してもよい。支持部材は、圧搾空気または液体入り浮袋で形成してもよい。支持部材は、例えば、シムと、そのシムを取り付ける剥離シューとで形成されるすき間の中に材料を注入することなどにより形成してもよい。他の方法が、シュー先端部上にゴムを形成した後に、金属製シムを接着剤で接着することを含んでいてもよい。
【００１６】
図１が、従来技術の剥離システムを有するベルトロール定着器システムの定着ニップの図式的側面図を示している。詳細には、図１は、定着ニップを形成する第１の部材と第２の部材とを有する定着システム１００を示している。第１の部材、すなわち、外部圧力部材１０２が、それの縦軸のまわりに回転するドラムまたはロールであってもよい。第２の部材、すなわち、内部圧力部材１０５が、縦軸のまわりに回転可能な内部圧力ロールであってもよい。内部圧力部材１０５は、ロールもしくはドラム、または他の任意の好適な構造体であってもよい。内部圧力部材１０５と外部圧力部材１０２とは、定着ニップ１０７を形成する。
【００１７】
定着するためにその上にマーキング材料画像を運ぶ媒体を、定着ニップ１０７の中を通って供給してもよい。定着ニップ１０７は、プロセス方向に対してニップ入口とニップ出口とを有していてもよい。それの表面上に蒸着されたマーキング材料画像を有する基板を、定着ニップ１０７に向かってプロセス方向に運んで、画像を基板に定着させてもよい。詳細には、基板がニップ１０７を通り抜けるときに、例えば、マーキング材料と基板とに熱および／または圧力を加えることなどにより画像を定着させてもよい。
【００１８】
内部圧力部材１０５を含むベルトロール定着器の１つ以上の部材により定着ベルト１１０を引っ張ってもよい。定着ベルト１１０は、第１の面と第２の面とを有していてもよい。第１の面は、定着ニップ１０７を通り抜ける基板に接触してもよい。第２の面は、内部圧力部材１０５に接触し、定着ベルト１１０を引っ張るベルトロール定着器の他の部材に接触してもよい内側であってもよい。
【００１９】
図１に示す定着システム１００は、剥離システムを含んでいる。剥離システムは、剥離シュー１１５と、剥離シム１２０と、を含んでいる。剥離シム１２０は、剥離シュー１１５に取り付けられた第１の端部を有している。シム１２０は図示のように細長くて曲がっていてもよく、ニップ１０７の近くに位置する第２の端部まで延びていてもよい。剥離縁端部は、第２の端部に形成されてもよく、定着ベルト１１０の内側または第２の面に負荷をかけるように構成されてもよい。
【００２０】
特に、圧力プロファイルを保持するために、剥離シュー１１５と、定着ベルトに接触する剥離縁端部とを、ベルトの内側（例えば、内部圧力部材１０５に面するベルト１１０の面）に当てる。ニップ圧が水蒸気圧力限界よりも高くなるように、ニップにおける圧力プロファイルを保持すべきである。さらに、ニップ圧が気泡圧力限界よりも高くなるように、ニップにおける圧力プロファイルを保持すべきである。従来技術のシステムでは、シム１２０と剥離シュー１１５とを図１に示すように配置してもよく、シム１２０は細長くて曲がっており、シム１２０の剥離縁端部と、シム１２０の第１の端部においてシム１２０を取り付ける剥離シュー１１５との間に空間が入るようになっている。従来技術の配置は、シム１２０の変形、弱化、および／または摩耗を引き起こす。シム１２０が変形したり、または弱くなったりすると、シム１２０は定着システム１００の構成要素に引っかかるようになる可能性がある。例えば、弱くなったり、または変形したりしたシム１２０は、ベルト１１０に損傷を与える可能性があることが分かっている。
【００２１】
定着システム１００の構成要素の損傷に加えて、シム１２０が摩耗および／または変形すると、圧力プロファイルは悪化する。したがって、シム１２０は頻繁に交換する必要がある。例えば、図１に示すような従来技術のシステムは、あらゆる１０００００回の印刷の後にシム１２０を交換する必要がある可能性がある。
【００２２】
図２は、剥離システムを有する定着システム２００の図式的側面図を示している。詳細には、図２は、定着ニップを形成する第１の部材と第２の部材とを有する定着システム２００を示している。第１の部材、すなわち、外部圧力部材２０２が、それの縦軸のまわりに回転するドラムまたはロールであってもよい。第２の部材、すなわち、内部圧力部材２０５が、縦軸のまわりに回転可能であってもよい。内部圧力部材２０５は、ロールもしくはドラム、または他の任意の好適な構造体であってもよい。内部圧力部材２０５と外部圧力部材２０２とは、定着ニップ２０７を形成する。
【００２３】
定着するためにその上にマーキング材料を運ぶ媒体を、定着ニップ２０７の中を通って供給してもよい。定着ニップ２０７は、プロセス方向に対してニップ入口とニップ出口とを有していてもよい。それの表面上に蒸着されたマーキング材料画像を有する基板を、定着ニップ２０７に向かってプロセス方向に運んで、画像を基板に定着させてもよい。詳細には、基板がニップ２０７を通り抜けるときに、例えば、マーキング材料と基板とに熱および／または圧力を加えることなどにより画像を定着させてもよい。
【００２４】
内部圧力部材２０５を含むベルトロール定着器の１つ以上の部材により定着ベルト２１０を引っ張ってもよい。定着ベルト２１０は、第１の面と第２の面とを有していてもよい。第１の面は、定着ニップ２０７を通り抜ける基板に接触してもよい。第２の面は、内部圧力部材２０５に接触し、定着ベルト２１０を引っ張るベルトロール定着器の他の部材に接触してもよい内側であってもよい。
【００２５】
図２に示す定着システム２００は、実施形態の装置およびシステムの剥離システムを含んでいる。剥離システムは、シュー２１５と、剥離シム２２０と、を含んでいる。剥離シム２２０は、剥離シュー２１５に取り付けられた第１の端部を有している。シム２２０は図示のように細長くて曲がっていてもよく、ニップ２０７の近くに位置する第２の端部まで延びていてもよい。剥離縁端部は、第２の端部に形成されてもよく、定着ベルト２１０の内側または第２の面に負荷をかけるように位置付けられてもよい。
【００２６】
特に、圧力プロファイルを保持するために、剥離縁端部と、剥離シュー２１５とを、ベルトの内側（例えば、内部圧力部材２０５に面するベルト２１０の面）に当てる。詳細には、ニップ圧が水蒸気圧力限界よりも高くなるように、ニップにおける圧力プロファイルを保持すべきである。さらに、ニップ圧が気泡圧力限界よりも高くなるように、ニップにおける圧力プロファイルを保持すべきである。
【００２７】
図２の剥離システムは、支持部材２３０を含んでいる。支持部材２３０は、シム２２０を支持するように構成されている。例えば、図２に示すように、支持部材２３０は、シム２２０の剥離縁端部と、シム２２０の第１の端部を取り付けるシュー２１５との間に入るように設置してもよい。支持部材２３０は、シム２２０に接触して、シム２２０を支持するように設置してもよい。支持部材２３０は、ゴムおよび／または発泡体から構成してもよい。支持部材は、圧搾空気または液体入り浮袋から構成してもよい。定着システムと、図２に示すように支持部材２３０を有する剥離システムのような実施形態の支持されたシムを有する剥離システムとは、変形、弱化、および／または摩耗に対して強い可能性がある。
【００２８】
図３は、例示的実施形態の剥離システムを有する定着システム３００の図式的側面図を示している。詳細には、図３は、定着ニップを形成する第１の部材と第２の部材とを有する定着システム３００を示している。第１の部材、すなわち、外部圧力部材３０２が、それの縦軸のまわりに回転するドラムまたはロールであってもよい。第２の部材、すなわち、内部圧力部材３０５が、縦軸のまわりに回転可能な内部圧力ロールであってもよい。内部圧力部材３０５は、ロールもしくはドラム、または他の任意の好適な構造体であってもよい。内部圧力部材３０５と外部圧力部材３０２とは、定着ニップ３０７を形成する。
【００２９】
定着するためにその上にマーキング材料画像を運ぶ媒体を、定着ニップ３０７の中を通って供給してもよい。定着ニップ３０７は、プロセス方向に対してニップ入口とニップ出口とを有していてもよい。それの表面上に蒸着されたマーキング材料画像を有する基板を、定着ニップ３０７に向かってプロセス方向に運んで、画像を基板に定着させてもよい。詳細には、基板がニップ３０７を通り抜けるときに、例えば、マーキング材料と基板とに熱および／または圧力を加えることなどにより画像を定着させてもよい。
【００３０】
内部圧力部材３０５を含むベルトロール定着器の１つ以上の部材により定着ベルト３１０を引っ張ってもよい。定着ベルト３１０は、第１の面と第２の面とを有していてもよい。第１の面は、定着ニップ３０７を通り抜ける基板に接触してもよい。第２の面は、内部圧力部材３０５に接触し、定着ベルト３１０を引っ張るベルトロール定着器の他の部材に接触してもよい内側であってもよい。
【００３１】
図３に示す定着システム３００は、剥離システムを含んでいる。剥離システムは、剥離シュー３１５と、剥離シム３２０と、を含んでいる。剥離シム３２０は、剥離シュー３１５に取り付けられた第１の端部を有している。シム３２０は図示のように細長くて曲がっていてもよく、シム３２０は剥離シュー３１５の方に向かって位置付けてもよい第２の端部まで、および／または剥離シュー３１５に取り付けてもよい第２の端部まで、延びていてもよい。
【００３２】
特に、剥離シム３２０は、支持部材３３０を取り囲むように、および支持部材３３０を少なくとも部分的に包むように、シムの第１の端部から延びていてもよい。図３に示すシム３２０は、シムの第１の端部と第２の端部の間の地点に剥離縁端部を形成するために曲がっている。剥離縁端部は、ニップ出口付近に設置されてもよい。圧力プロファイルを保持するために、剥離縁端部を、ベルトの内側（例えば、内部圧力部材３０５に面するベルト３１０の面）に当ててもよい。ニップ圧が水蒸気圧力限界よりも高くなるように、ニップにおける圧力プロファイルを保持すべきである。ニップ圧が気泡圧力限界よりも高くなるように、ニップにおける圧力プロファイルを保持すべきである。
【００３３】
図３の剥離システムは、支持部材３３０を含んでいる。支持部材３３０は、支持部材３３０を実質的に取り囲むシム３２０を支持するように構成されている。支持部材３３０は、シム３２０に接触して、シム３２０を支持するように設置してもよい。支持部材２３０は、ゴムおよび／または発泡体で形成してもよい。支持部材２３０は、圧搾空気または液体入り浮袋で形成してもよい。
【００３４】
定着システムと、図３に示すように支持部材３３０を有する剥離システムのような実施形態の支持されたシムを有する剥離システムとは、変形、弱化、および／または摩耗に対して強い可能性がある。さらに、支持部材３３０を取り囲む図３に示すシム３２０は、例えば、図１に示すような従来技術のシステムのシムの端部などに起因する可能性があるシステム構成要素への損傷を減らすような構造にされる。実施形態の支持部材とシムとを有する剥離システムは、ニップにおいて加えられる圧力プロファイルの制御を改善できる従来技術のシステムの丈夫な機械的代替手段を提供するとともに、システム構成要素の寿命と、定着するための所望の圧力プロファイルの保持の寿命とを延ばす。
【００３５】
図４は、従来技術の剥離システムを有する従来技術のベルトロール定着器により提供される圧力プロファイル性能の観察結果を示すグラフを示している。図４は、従来技術のシステムが提供する圧力プロファイルには約２５ｍｍのプロセス方向距離の間で一貫性がないことを示している。例えば、時間の経過とともに、従来技術のベルトロール定着器システムが提供するニップ圧プロファイルは、少なくとも２回４５ｐｓｉを下回り、１回５ｐｓｉを下回る。上述のように、水蒸気圧力限界と気泡圧力限界とを上回るニップ圧プロファイルを保持すべきである。図４に示す結果を与えるために観察されたシステムは、４５ｐｓｉよりも大きい水蒸気圧力限界と、５ｐｓｉよりも大きい気泡圧力限界と、を要求した。
【００３６】
実施形態によるシステムは、例えば、剥離シューに取り付けられた支持部材を含むことなどにより、従来技術のシステムの限界を克服する。支持部材は、柔軟な金属製シムであってもよいシムを支持して、シムの形状を制御するとともに、振動などを減らしたり、または最小にしたりすることによりシムの寿命を延ばす。他の実施形態では、シムは支持部材を取り囲んでいてもよく、例えば、シムの先端部または端部が露出しておらず、定着システム構成要素の損傷を低減したり、または最小にしたりしてもよい。さらに、実施形態のシステムは、例えば、水蒸気圧力限界および気泡圧力限界などを含む所要の限界を上回るニップ圧を確実に保持するニップ圧プロファイルを提供する。
【図１】
0005804979.tif 000002
【図２】
0005804979.tif 000003
【図３】
0005804979.tif 000004
【図４】
0005804979.tif 000005